(57)【要約】【課題】  効率的に氷割り作業をすることができる器具を提供する。【解決手段】  先端に位置し、鋭利に形作られた刃先部分と、刃先部分に隣接して配置された第１部分と、第１部分の刃先部分と反対側に配置された第２部分とを有する、平面視でほぼ長方形の形状を持つ刃先と、刃先の第２部分に隣接して配置された取付部とを備え、刃先が、第２部分及び取付部が第１部分を含む平面に対して角度αをなして傾斜し、第１部分と第２部分との境界部が丸みをもつように形成されており、取付部に連結され、氷割り作業時に把持するための柄と、刃先と柄との間を連結するように配置された補強材とを更に備えていることを特徴とする。【選択図】図１
0003127277.tif 000002
【実用新案登録請求の範囲】
【請求項１】
先端に位置し、鋭利に形作られた刃先部分と、前記刃先部分に隣接して配置された第１部分と、前記第１部分の前記刃先部分と反対側に配置された第２部分とを有する、平面視でほぼ長方形の形状を持つ刃先と、前記刃先の前記第２部分に隣接して配置された取付け部と備え、前記刃先が、前記第２部分及び前記取付部が前記第１部分と前記第２部分との境界部が丸みをもつように形成されており、前記取付部に連結され、氷割り作業時に把持するための柄と、前記刃先と前記柄との間を連結するように配置された補強材とを更に備えていることを特徴とする多機能氷割りスティック。
【考案の詳細な説明】
【技術分野】
【０００１】  本考案は、一般に多機能氷割りスティックに関する。より詳細には、本考案は、一本で楽に地表に凍りついた氷を割ったり、割り剥したりする為の用具に関する。
【背景技術】
【０００２】  従来の除氷作業は、つるはしやスコップや金棒を用いて砕いたり、ハンマーで叩き割る方法を用いたが、危険であり、大きな力、用具を使いこなす技術を必要とし、また対象物以外の部分を破損する事が非常に多く不便であり、困難な作業であり、地表と凍りついた氷の間に歯先を差し込んで剥し取るアイスピックが開発されているが、これは下から差し込むことしかできず、上から叩き割る時はスコップ等別の器具を使用しなければならず、その概要を記載する。
【考案の開示】
【考案が解決しようとする課題】
【０００３】  つるはしを用いる方法は、つるはしの重さに耐える力と技術が必要であり使用する人が制限され、刃先を対象物に命中させる技術が困難であり、対象物以外を破損する恐れがある。スコップを用いる方法は、スコップは軽量であり非能率的で時間的無駄が多く作業効率が悪い。金棒を用いる方法は、刃先を対象物に命中させる技術が困難である。ハンマーを用いる方法は、対象物以外を破損する恐れがあり、対象物に当たる面が平面のため大きな力を必要とし体力と時間を浪費しコストが増大する。アイスピックを用いる方法は、大きな力を必要とせず楽に除氷することができるが刃先が細く、刃先と本体との接続部が弱く上から振り下ろして氷を割る事ができない。
【考案が解決するための手段】
【０００４】  本願請求項目１に記載の多機能氷割りスティックは、先端に位置し、鋭利に形作られた刃先部分と、前記刃先部分に隣接して配置された第１部分と、前記第１部分の前記刃先部分と反対側に配置された第２部分とを有する、平面視でほぼ長方形の形状を持つ刃先と、前記刃先の前記第２部分に隣接して配置された取付部とを備え、前記刃先が、前記第２部分及び前記取付部が前記第１部分を含む平面に対して角度αをなして傾斜し、前記第１部分と前記第２部分との境界部が丸みをもつように形成されており、前記取付部に連結され、氷割り作業時に把持するための柄と、前記刃先と前記柄との間を連結するように配置された補強材とを更に備えていることを特徴とするものである。
【考案の効果】
【０００５】  本願考案の多機能氷割りスティックは、地面と地表の氷との隙間に刃先を入れ少ない力で楽に氷を剥すように取り除く事ができ、刃先の地表に着く部分である作業支点を曲面にする事で、地面を傷つける事もなく、持ち方を逆にするとつるはしのように氷を叩き割る事ができる。従来の氷割り器具は、剥し取る場合と叩き割る場合とでそれぞれの器具を使い分けなければならなかったが、多機能氷割りスティックを使用することにより、氷の状態や作業する者の力の加減により１台で氷割りの作業方法を変えることができ、効率を上げる事ができ、器具を何台も購入する必要がなくなる。
【考案を実施するための最良の形態】
【０００６】  次に図面を参照して、本考案の好ましい実施の形態に係る多機能氷割りスティックについて詳細に説明する。図１は本考案の好ましい実施の形態に係る多機能氷割りスティックを示した正面図である。図１において全体として参照符号１で示される本考案の好ましい実施の形態に係る多機能氷割りスティックは平面視でほぼ長方形の形状を持つ（図３参照）刃先２を備えている。刃先２は、先端に位置する刃先部分２ａと、刃先部分２ａに隣接して配置された第１部分２ｄと、第１部分２ｄの刃先部分２ａと反対側に配置された第２部分２ｅとを有している。【０００７】  刃先部分２ａは、氷を割りやすいように鋭利に形作られている。好ましくは、刃先部分２ａのほぼ中央に、氷割り作業時に生ずる摩擦を軽減するための切欠き２ｂが設けられており、刃先部分２ａの両端２ｃは、隅切りされている。【０００８】  刃先２は、図４に最も良く示されるように、第２部分２ｅが第１部分２ｄを含む平面に対して角度αをなして傾斜し、第１部分２ｄと第２部分２ｅとの境界部４が丸みをもつように形成されている。好ましくは角度αは、氷割り作業の容易性を考慮して、約２０度ないし３５度である。【０００９】  刃先２の第２部分２ｅに隣接して取付部３が設けられている。取付部３は金属材料によって刃先２と一体に形成されている。なお、図４に示されるように、取付部３は、第２部分２ｅを含む平面と同一平面をなすように形作られており、従って取付部３も、第２部分２ｅと同様に第１部分２ｄを含む平面に対して角度αをなして傾斜している。【００１０】  多機能氷割りスティック１はまた、氷割り作業時に把持するための柄５を備えている。柄５は、任意の長さと径をもつ金属製のパイプで形成するのが好ましい。【００１１】  柄５と刃先２の間は金属製の補強材６が着いている。補強材６の一端６ａと柄５の刃先２の近傍部５ｂに、補強材６の多端６ｂと刃先２のほぼ中央部２ｆに溶接等の任意の方法で接合されている。【００１２】  柄５の先端６ａが刃先２の取付部３に連結されている。従って柄５は刃先部分２ａを含む平面に対して角度αをなしている。なお、柄５が金属製パイプで形成されている場合、刃先２の取付部３をパイプの中に埋め込むのがよい。【００１３】  多機能氷割りスティック１を手に持ち刃先２の境界部４を下にして、刃先部分２ａを氷と地表との間に差し込み、梃子の原理を利用して、柄５の上端を押し下げることにより、氷を剥がし割りすることができる。また、刃先２の境界部４を上にして、先端を振り上げて氷の上に振り下ろすことにより、氷を打ち砕く事もできる。多機能氷割りスティックは１本でこのふたつの作業をする事ができ、非常に効率的、機能的であり、氷割等の作業における時間と体力のコストを大きく軽減できる。【００１４】  刃先２を長方形にし、巾を広くすることにより、既存の氷割器（アイスピック等）と比較して、少ない力で１度に大量の氷を割る事ができ、労力も少なく非常に効率的である。また刃先２の先端を鋭利に角度をつける事により、地表と氷の間に器具を入り込みやすくし、また境界部４を曲面にする事により、地面を傷つけることなく作業を行う事ができる。補強材６を付ける事により頑丈になり、氷割り作業が大���効率的にできるようになる。
【図面の簡単な説明】
【００１５】
【図１】  本考案にかかる多機能氷割りスティック本体を横から見た正面図。
【図２】  本考案にかかる多機能氷割りスティックを横から見た断面図。
【図３】  図１刃先を上から見た平面図。
【図４】  図１の刃先を横から見た平面図。
【図５】  図１の補強材を横から見た平面図。
【図６】  図１の補強材を上から見た平面図。
【図７】  図１の柄を横から見た平面図。
【符号の説明】
【００１６】  １    多機能氷割りスティック本体
２    刃先
３    刃先の取付部
４    境界部
５    柄
６    補強材
２ａ  刃先部分
２ｂ  切欠き
２ｃ  隅切り
２ｄ  刃先の第１部分
２ｅ  刃先の第２部分
２ｆ  補強材との接合部分
３ａ  取付部の差込部
５ａ  柄の先端
５ｂ  補強材との取付部
６ａ  柄との接続部分
６ｂ  刃先との接続部分
【図１】
0003127277.tif 000003
【図２】
0003127277.tif 000004
【図３】
0003127277.tif 000005
【図４】
0003127277.tif 000006
【図５】
0003127277.tif 000007
【図６】
0003127277.tif 000008
【手続補正書】
【提出日】平成18年9月16日(2006.9.16)
【手続補正１】
【補正対象書類名】明細書
【補正対象項目名】００１５
【補正方法】変更
【補正の内容】
【図面の簡単な説明】
【００１５】
【図１】  本考案にかかる多機能氷割りスティック本体を横から見た正面図。
【図２】  本考案にかかる多機能氷割りスティックを横から見た断面図。
【図３】  図１刃先を上から見た平面図。
【図４】  図１の刃先を横から見た平面図。
【図５】  図１の補強材を横から見た平面図。
【図６】  図１の補強材を上から見た平面図。